(57)【要約】【課題】いかなる状態のカードに対してもカード挿入口兼返却口におけるカード返却位置から飛び出すこと無く安定して排出させるようにする。【解決手段】カードＣＡを挿入または返却するカード挿入口兼返却口１ａと、カード挿入口兼返却口１ａから挿入されたカードＣＡに所定の処理を施すため当該カードＣＡを一時的に保持するカード保持部１９と、カード挿入口兼返却口１ａとカード保持部１９との間でカードＣＡを移動させるカード移動手段５と、カード移動手段５を介してカードＣＡをカード挿入口兼返却口１ａの方向へ付勢する第１付勢手段６と、第１付勢手段６によるカード移動手段５の付勢の強弱をカードＣＡと非接触で制御する制動手段５０、６０とを備えるようにする。【選択図】図９
2015035146.tif 000002
【特許請求の範囲】
【請求項１】
カードを挿入または返却するカード挿入口兼返却口と、
前記カード挿入口兼返却口から挿入されたカードに所定の処理を施すため当該カードを一時的に保持するカード保持部と、
前記カード挿入口兼返却口と前記カード保持部との間でカードを移動させるカード移動手段と、
前記カード移動手段を介してカードを前記カード挿入口兼返却口の方向へ付勢する第１付勢手段と、
前記第１付勢手段による前記カード移動手段の付勢の強弱をカードと非接触で制御する制動手段と
を備えることを特徴とするカード処理装置。
【請求項２】
前記制動手段は、前記カード移動手段によってカードが前記カード挿入口兼返却口の取出可能位置に到達したときから前記カード移動手段の付勢の強弱を制御する
ことを特徴とする請求項１に記載のカード処理装置。
【請求項３】
前記カード移動手段に連動して前記カード保持部を開閉するシャッタが設けられ、
前記カード挿入口兼返却口の取出可能位置は、前記シャッタにより前記カード保持部を開放するシャッタ開放位置である
ことを特徴とする請求項２に記載のカード処理装置。
【請求項４】
前記制動手段は、
前記カード移動手段を前記カード挿入口兼返却口の方向とは反対向きの前記カード保持部の方向へ付勢する第２付勢手段と、
前記カード移動手段に設けられた前記第２付勢手段と当接する第２付勢手段当接部と
により構成されることを特徴とする請求項２または３に記載のカード処理装置。
【請求項５】
前記制動手段は、
樹脂製のベースと一体に設けられ、前記カード移動手段に当接する方向に付勢する第３付勢手段と、
前記カード移動手段に設けられた前記第３付勢手段と当接する第３付勢手段当接部と
により構成されることを特徴とする請求項２または３に記載のカード処理装置。
【発明の詳細な説明】
【技術分野】
【０００１】
本発明は、カードをカード挿入口から挿入し、カード処理した後にカード挿入口から返却するカード処理装置に関するものである。
【背景技術】
【０００２】
従来、カードを移動部材によりカード挿入口から返却する際、当該移動部材によるカード返却時の慣性力によりカードがカード挿入口から飛び出してしまうことがあった（例えば、特許文献１参照）。
【先行技術文献】
【特許文献】
【０００３】
【特許文献１】特開２００７−３４５９４号公報
【発明の概要】
【発明が解決しようとする課題】
【０００４】
上述した特許文献１のカード処理装置においては、移動部材をカード挿入口の方向へ付勢するため当該移動部材に取り付けられる第１の引張りコイルばねに所定の引張荷重が必要となるが、その引張荷重が弱過ぎるとカードがカード挿入口から排出されずにカード詰まりが発生してしまい、その逆に、スプリングの引張荷重が強過ぎると、カードがカード挿入口から飛び出してしまう。
【０００５】
そこで、カードがカード挿入口から排出される際、カードの側部を制動部材の押圧部が押圧（側圧）することが対策として想定されるが、その側圧が強過ぎるとカードがカード挿入口から排出されずにカード詰まりが発生し、逆に側圧が弱過ぎるとカードがカード挿入口から飛び出してしまうという問題があった。
【０００６】
本発明は上記した従来の問題に鑑みなされたものであり、その目的は、いかなる状態のカードに対してもカード返却位置から飛び出すこと無く安定して排出させ得るカード処理装置を提供することにある。
【課題を解決するための手段】
【０００７】
この目的を達成するために、請求項１に係る発明は、カードを挿入または返却するカード挿入口兼返却口と、前記カード挿入口兼返却口から挿入されたカードに所定の処理を施すため当該カードを一時的に保持するカード保持部と、前記カード挿入口兼返却口と前記カード保持部との間でカードを移動させるカード移動手段と、前記カード移動手段を介してカードを前記カード挿入口兼返却口の方向へ付勢する第１付勢手段と、前記第１付勢手段による前記カード移動手段の付勢の強弱をカードと非接触で制御する制動手段とを備えるようにする。
【０００８】
請求項２に係る発明において、前記制動手段は、前記カード移動手段によってカードが前記カード挿入口兼返却口の取出可能位置に到達したときから前記カード移動手段の付勢の強弱を制御することができる。
【０００９】
請求項３に係る発明において、前記カード移動手段に連動して前記カード保持部を開閉するシャッタが設けられ、前記カード挿入口兼返却口の取出可能位置は、前記シャッタにより前記カード保持部を開放する位置とすることができる。
【００１０】
請求項４に係る発明において、前記制動手段は、前記カード移動手段を前記カード挿入口兼返却口の方向とは反対向きの前記カード保持部の方向へ付勢する第２付勢手段と、前記カード移動手段に設けられた前記第２付勢手段と当接する第２付勢手段当接部とにより構成される。
【００１１】
請求項５に係る発明において、前記制動手段は、樹脂製のベースと一体に設けられ、前記カード移動手段に当接する方向に付勢する第３付勢手段と、前記カード移動手段に設けられた前記第３付勢手段と当接する第３付勢手段当接部とにより構成される。
【発明の効果】
【００１２】
請求項１の発明によれば、カード挿入口兼返却口から挿入されたカードに所定の処理を施した後、カード移動手段によりカードをカード保持部からカード挿入口兼返却口へ返却する際、第１付勢手段によるカード移動手段の付勢の強弱をカードと非接触で制御できるので、カードの種類や状態に拘わらず如何なるカードであってもカード挿入口兼返却口におけるカード返却位置から飛び出すことなく安定して排出させることができる。
【００１３】
請求項２の発明によれば、カード移動手段によってカードがカード挿入口兼返却口の取出可能位置に到達したときから当該カード移動手段の付勢の強弱が制御されるため、取出可能位置までは速やかにカードを移動させた後、その取出可能位置からカード返却位置までは遅くカードを移動させることができる。
【００１４】
請求項３の発明によれば、カード移動手段に連動してカード保持部を開閉するシャッタによりカード保持部を開放するシャッタ開放位置に到達したときから当該カード移動手段の付勢の強弱が制御されるため、シャッタによりカード保持部を開放する位置までは速やかにカードを移動させた後、そのカード保持部を開放する位置からカード返却位置までは遅くカードを移動させることができる。
【００１５】
請求項４の発明によれば、カード移動手段をカード挿入口兼返却口の方向とは反対向きのカード保持部の方向へ付勢する第２付勢手段に対して、カード移動手段に設けられた第２付勢手段当接部が当接されるため、その当接されたときからカード移動手段の付勢の強弱を制御することができる。
【００１６】
請求項５の発明によれば、カード移動手段に当接する方向に付勢する第３付勢手段に対してカード移動手段に設けられた第３付勢手段当接部が当接されたときから、第１付勢手段によるカード移動手段の付勢の強弱を制御することができる。
【図面の簡単な説明】
【００１７】
【図１】第１の実施の形態に係るカード処理装置の外観構成を示す正面図である。
【図２】第１の実施の形態に係るカード処理装置のカバーを外したときの正面構造を示す正面図である。
【図３】第１の実施の形態に係るカード処理装置のカード読取時の正面構造を示す正面図である。
【図４】第１の実施の形態に係るカード処理装置のカード読取時の断面状態を示す図３におけるI−I線断面図である。
【図５】第１の実施の形態に係るカード処理装置のカード返却時の断面状態を示す図３におけるI−I線断面図である。
【図６】図２におけるスライダが取り外されたときのダンパの配置を示す正面図である。
【図７】ダンパの装着状態を示す斜視図である。
【図８】第１の実施の形態に係るカード処理装置のカード読出書込時の断面状態を示す図２におけるII−II線断面図である。
【図９】第１の実施の形態に係るカード処理装置のダンパ作動時（取出可能位置）の断面状態を示す図２におけるII−II断面図である。
【図１０】第２の実施の形態におけるスライダが取り外されたときの樹脂ばねの配置を示す正面図である。
【図１１】第２の実施の形態に係るカード処理装置のカード読出書込時の断面状態を示す図１０におけるIII−III線断面図である。
【図１２】第２の実施の形態に係るカード処理装置のダンパ作動時（取出可能位置）の断面状態を示す図１０におけるIII−III断面図である。
【図１３】第２の実施の形態に係るカード処理装置のカード返却時（カード返却位置）の断面状態を示す図１０におけるIII−III断面図である。
【発明を実施するための形態】
【００１８】
以下、本発明の実施の形態について説明する。
【００１９】
＜第１の実施の形態＞
図１乃至図９を用いて本発明の第１の実施の形態に係るカード処理装置１００の構成を説明する。カード処理装置１００は、樹脂からなるベース１の上端部に非接触型ＩＣ(Integrated Circuit)カードＣＡ（以下、これを単にカードＣＡと呼ぶ）を挿入または返却するためのカード挿入口兼返却口１ａが設けられるとともに、ベース１を構成している表面側ベース１ｆｍに対してカバー２が装着可能な全体外観構成を有している。
【００２０】
表面側ベース１ｆｍにおける左右両側上端部にはシャッタ３、３が設けられ、当該シャッタ３、３における下方端部のシャッタ軸３ａ、３ａを介してリンク４、４と連結されている。当該リンク４の下端部に設けられた貫通孔４ａには、スライダ５の左右両側端部に形成された突起５ｄ、５ｄが係合連結されている。
【００２１】
図２および図３に示されるように、ベース１を構成している表面側ベース１ｆｍのほぼ中央に平行に設けられた縦長のベース溝１ｃ、１ｃにはスライダ５の上端部から突出したカード支承部５ｂ（図４、図５）が矢印Ａ−Ｂ方向へスライド自在に係合されているとともに、スライダ５の中央に縦長に設けられたスライダ溝５ｅに対して表面側ベース１ｆｍ上に立設された突起部１ｅが係合されている。
【００２２】
スライダ５は、スライダ溝５ｅとは直交する矢印Ｅ方向へ向かって突出したカード支承部５ｂ（図４、図５）を有し、当該カード支承部５ｂが表面側ベース１ｆｍのベース溝１ｃ、１ｃから矢印Ｅ方向に向かって突出している。またスライダ５には、当該スライダ５の下方に設けられたストッパ１０の爪１０ｂと係合するための係合孔５ａが当該ストッパ１０の延長線上方の所定位置に形成されている。
【００２３】
スライダ５の左右両側には２個のバネ６、６が設けられ、当該スライダ５の左右両側下方端部とバネ６、６の下端部とが取り付けられるとともに、バネ６、６が矢印Ａ−Ｂ方向へ向かって互いに平行となるように、当該バネ６、６の上端部が表面側ベース１ｆｍ上の所定位置に取り付けられている。このバネ６、６は、図２に示されるように、カードＣＡが未だ挿入されていない未挿入時のカード待受位置であり、かつ、カードＣＡをカード挿入口兼返却口１ａから排出するときのカード返却位置にスライダ５を戻すよう所定の荷重でカード挿入口兼返却口１ａに向かう矢印Ａ方向へ当該スライダ５を常時付勢している。すなわちバネ６、６は、第１付勢手段を構成する。
【００２４】
スライダ５の下方に設けられたストッパ１０は、表面側ベース１ｆｍから矢印Ｆ方向へ突設されたボス１ｇに対して軸１０ａを中心に回動自在に取り付けられている。ストッパ１０の近傍には第１の電磁ソレノイド９が設けられ、そのプランジャ９ａに固定されたピン１１がストッパ１０の係合部１０ｃの長孔１０ｈに摺動自在に係合されている。
【００２５】
第１の電磁ソレノイド９は、図２に示されるように、電流が印加されない状態ではプランジャ９ａが上方に位置されているので、このとき図４に示されるように、ストッパ１０が図中時計回り方向へ付勢され、当該ストッパ１０の爪１０ｂがスライダ５の係合孔５ａに係合された状態が維持されるように構成されている。
【００２６】
一方、第１の電磁ソレノイド９は、電流が印加されるとプランジャ９ａが吸引されるので、図５に示されるように、当該プランジャ９ａとともにピン１１が下方へ移動することになる。
【００２７】
このとき、ピン１１がストッパ１０の係合部１０ｃの長孔１０ｈの中で下方へ移動し、当該長孔１０ｈの下端に当接された状態でプランジャ９ａが更に吸引され続けることにより、軸１０ａを中心としてストッパ１０が図中反時計回り方向へ回転され、当該ストッパ１０の爪１０ｂがスライダ５の係合孔５ａから係合解除されるように構成されている。なお、スライダ５によりカードＣＡを矢印Ａ−Ｂ方向へ移動するカード移動手段が構成され、かつ、スライダ５、電磁ソレノイド９およびストッパ１０によってカードＣＡをカード挿入口兼返却口１ａから上方へ返却するカード返却部が構成される。
【００２８】
図４および図５に示すように、ベース１の表面側ベース１ｆｍと所定間隔だけ離れた位置には、当該表面側ベース１ｆｍと平行に配置された裏面側ベース１ｂｍが設けられている。表面側ベース１ｆｍと裏面側ベース１ｂｍとの間には、断面略Ｌ字状でなり、その先端に矢印Ｅ方向へ向かって突出する突出部１９ｃの形成されたシュータ１９が設けられており、当該シュータ１９は、裏面側ベース１ｂｍの上端部の回動軸２０を中心として回動自在に支持されている。
【００２９】
シュータ１９における突出部１９ｃの反対側の背面には、スライダ５のカード支承部５ｂの先端が当接される。かくして、表面側ベース１ｆｍと、シュータ１９の表面側ベース１ｆｍ側へ向いた背面と、スライダ５のカード支承部５ｂとにより、カード挿入口兼返却口１ａから挿入されたカードＣＡを一時的に保持し、当該保持されたカードＣＡの背面側に配置されたリーダライタ１２（図４、図５）により当該カードＣＡに対して所定の処理（データの読み出しや、データの書き込み）を行うためのカード保持空間ＣＨＫが形成される。
【００３０】
シュータ１９の背面側には、カード保持空間ＣＨＫに挿入されたカードＣＡを左右両側から係止するための爪（図示せず）が左右２カ所ずつ合計４個設けられており、カードＣＡがカード保持空間ＣＨＫに挿入されたとき、スライダ５のカード支承部５ｂにカードＣＡの一方の端部が当接されるとともに当該カードＣＡの左右両側端部が４カ所の爪に係止されるように構成されている。すなわちシュータ１９はカードＣＡをカード保持空間ＣＨＫに保持するカード保持部を構成する。
【００３１】
シュータ１９の突出部１９ｃの下方には、表面側ベース１ｆｍと裏面側ベース１ｂｍとの間にカード導出路１ｂが形成されている。ここで表面側ベース１ｆｍはその途中の段差部１ｆｄから矢印Ｂ方向に向かって延在するとともに矢印Ｅ方向へ傾斜された傾斜部を有し、裏面側ベース１ｂｍについても矢印Ｂ方向へ向かって延在するとともにその途中から矢印Ｅ方向へ傾斜された傾斜部を有している。
【００３２】
すなわちカード導出路１ｂには所定角度の傾斜が形成されており、カードＣＡがカード挿入口兼返却口１ａから返却されるのではなく、そのまま回収される場合、シュータ１９が回動軸２０を中心として矢印Ｅ方向へ回動され、カード保持空間ＣＨＫのカードＣＡがカード導出路１ｂから下方のカード収納箱（図示せず）に収納されるように構成されている。
【００３３】
ところで図８および図９に示すように、シャッタ３、３は表面側ベース１ｆｍに対して回動軸３ａを中心にシャッタ閉塞位置（図８）とシャッタ開放位置（図９）との間を揺動自在に支持されている。
【００３４】
シャッタ３、３の一方の端部３ｄ、３ｄは、リンク４、４に形成されたリンク溝４ａ、４ａに係合されており、リンク４の矢印Ａ−Ｂ方向への移動に伴い当該端部３ｄ、３ｄがリンク溝４ａ、４ａに沿って摺動される。
【００３５】
すなわち図８に示すように、リンク４、４と共にスライダ５が下方へ移動されたときのカードＣＡのカード読出書込時には、シャッタ３、３の他方の端部３ｕ、３ｕがカード保持空間ＣＨＫの上方開口を閉塞するシャッタ閉塞位置に位置付けられる。
【００３６】
また、図９に示すように、リンク４、４と共にスライダ５が上方に移動されたときの第２付勢手段としてのダンパ５０のダンパ作動時（後述する）では、シャッタ３、３の端部３ｕ、３ｕがカード保持空間ＣＨＫの上方開口を開放するシャッタ開放位置に位置付けられる。
【００３７】
図６乃至図９に示すように、表面側ベース１ｆｍの段差部１ｆｄと、表面側ベース１ｆｍから植設されて段差部１ｆｄと対向するように配置された支柱１ｓｔと、表面側ベース１ｆｍからスライダ５側へ向かって立設され、その下端部で支柱１ｓｔと一体化された第１リブＬｂ１と、当該第１リブＬｂ１の左右両側にダンパ５０の幅だけ離れて互いに平行に配置された第２リブＬｂ２および第３リブＬｂ３とによって、当該ダンパ５０を収納保持するダンパ保持空間ｄｓが形成され、そのダンパ保持空間ｄｓに圧縮コイルバネからなるダンパ５０が配置されている。
【００３８】
ダンパ５０の下端部と対向したスライダ５の下端部には、第２付勢手段当接部としてのスライダ突起部５ｃが表面側ベース１ｆｍの傾斜部へ向かって突出するように形成されている。スライダ５のスライダ突起部５ｃは、図６に示すように、表面側ベース１ｆｍに植設された支柱１ｓｔと対向するように設けられているものの、当該支柱１ｓｔと衝突することを回避するためにその先端が二股に分割された形状を有している。
【００３９】
なおダンパ５０は、表面側ベース１ｆｍの段差部１ｆｄを起点として矢印Ｂ方向へ当該スライダ５のスライダ突起部５ｃを付勢可能にダンパ保持空間ｄｓに設けられている。ここで、バネ６、６のカード挿入口兼返却口１ａに向かう矢印Ａ方向への付勢力は、ダンパ５０の矢印Ｂ方向への付勢力よりも大きく設定されていれば良い。このダンパ５０およびスライダ５のスライダ突起部５ｃによって、ばね６、６によりスライダ５を介してカード挿入口兼返却口１ａへカードＣＡを移動させる際の付勢の強弱を当該カードＣＡと非接触で制御する制動手段が構成される。
【００４０】
＜カード処理装置によるカード挿入および返却動作＞
カード処理装置１００にカードＣＡが挿入されていないカード待受位置（図２）において、図５に示されるようにカード挿入口兼返却口１ａからカードＣＡの短手方向が矢印Ａ−Ｂ方向に沿った状態で挿入されると、バネ６、６により上方に付勢されたスライダ５のカード支承部５ｂにカードＣＡの一方の端部（長手方向）が当接された状態で、当該カードＣＡが下方へ押し続けられることにより、当該スライダ５がカードＣＡとともにバネ６、６の付勢力に抗して押し下げられる（図３）。
【００４１】
このとき、図４に示されるように、図中時計回り方向へ付勢されたストッパ１０の爪１０ｂと、カードＣＡの挿入とともに上方から下方へ押し下げられたスライダ５の係合孔５ａとが係合され、当該スライダ５がその位置に留まることにより、当該カードＣＡがシュータ１９の爪に係止された状態でカード保持空間ＣＨＫに保持される。
【００４２】
この場合、リーダライタ１２によるカードＣＡに対するカート読出書込状態となるが、図８に示されるように圧縮コイルバネ１００の下端部とスライダ５のスライダ突起部５ｃとは当接することのない非接触状態のままである。
【００４３】
その後、カードＣＡに対する返却命令が与えられると、その返却命令に応じて第１の電磁ソレノイド９に電流が印加され、プランジャ９ａが下方に吸引されるので、当該プランジャ９ａとともにピン１１が下方へ移動し、当該ピン１１がストッパ１０の係合部１０ｃの長孔１０ｈの中で下方へ移動し（図５）、当該長孔１０ｈの下端に当接された状態でプランジャ９ａが更に吸引され続けることにより、軸１０ａを中心としてストッパ１０が反時計回り方向へ回転される。
【００４４】
この結果、ストッパ１０の爪１０ｂとスライダ５の係合孔５ａとの係合状態が解除され、当該スライダ５はバネ６、６の付勢力により勢い良くカード挿入口兼返却口１ａへ向かって押し上げられ、スライダ５のカード支承部５ｂに一方の端部が当接された状態のカードＣＡも当該スライダ５とともにカード挿入口兼返却口１ａへ向かって一緒に勢い良く押し上げられる。
【００４５】
ここで、ストッパ１０の爪１０ｂとスライダ５の係合孔５ａとの係合状態が解除されると、スライダ５のカード挿入口兼返却口１ａへの押し上げとともに、スライダ５と係合連結されたリンク４、４が上方へ押し上げられ、そのリンク４、４の押し上げと共にシャッタ３、３の一方の端部３ｄ、３ｄが当該リンク４、４のリンク溝４ａ、４ａに沿って摺動する。これにより、回動軸３ａ、３ａを中心としてシャッタ３、３が図中時計回り方向へ回転されるため当該シャッタ３、３の他方の端部３ｕ、３ｕがシャッタ閉塞位置からシャッタ開放位置へ位置付けられる。
【００４６】
そのとき同時に、バネ６、６により高速で押し上げられたスライダ５のスライダ突起部５ｃが表面側ベース１ｆｍの支柱１ｓｔとの衝突を回避しながらダンパ５０の下端部に当接され、この当接されたときの位置をダンパ作動位置（ダンパ作動時）として、当該ダンパ５０の矢印Ｂ方向への付勢力に抗しつつスライダ５がカード挿入口兼返却口１ａへ向かって速度を低下しながら徐々に押し上げられる。
【００４７】
このダンパ作動位置とは、シャッタ３、３のシャッタ開放位置でもあり、当該シャッタ３、３の開放動作と同時に、バネ６、６によりスライダ５を介してカードＣＡをカード挿入口兼返却口１ａに向けて移動させる際の付勢の強弱が制御され、カードＣＡの一方の端部がカード挿入口兼返却口１ａから僅かに露出した取出可能位置（図２、図９）に位置付けられる。
【００４８】
すなわちスライダ５は、ダンパ作動位置においてダンパ５０の矢印Ｂ方向への付勢力により、バネ６、６の矢印Ａ方向への付勢力が徐々に弱められ、最終的にダンパ５０の付勢力とバネ６、６の付勢力とがつり合ったカード返却位置（図２）で当該スライダ５によるカードＣＡのカード挿入口兼返却口１ａへ向かう押し上げが停止されるので、カードＣＡがカード挿入口兼返却口１ａから飛び出してしまう事態を未然に防止することができる。
【００４９】
これによりユーザは、カード挿入口兼返却口１ａからカードＣＡの一方の端部がカード挿入口兼返却口１ａから露出したカード返却位置で、当該カードＣＡの他方の端部を指で掴みながら引き抜くことにより確実にカードＣＡの返却を受けることができる。
【００５０】
このようにバネ６、６によるスライダ５を介したカードＣＡの上方への付勢力がダンパ５０によりカードＣａとは非接触で次第に弱められるので、従来のように制動部材の押圧部がカードＣＡの側面を側圧することによりカード返却動作を行う場合に比べて、当該カードＣＡと直接接触することなく取出可能位置からカード返却位置に向かって速度を落としながらカードＣＡを排出することができる。
【００５１】
かくして、カードＣＡの種類や状態（カードＣＡの摩擦係数や曲がり度合い）に拘わらず、カードＣＡがカード挿入口兼返却口１ａから飛び出してしまうことがなく、カードＣＡの他方の端部がカード挿入口兼返却口１ａから露出した状態のカード返却位置にカードＣＡを排出し、当該カードＣＡをユーザに返却することができる。
【００５２】
因みに、従来の側圧を用いてカードＣＡの返却動作を行う場合、当該カードＣＡの短手方向を挿入方向および返却方向とすると、制動部材の押圧部がカードＣＡの側面と接触する距離が短くなるため、カードＣＡがカード挿入口兼返却口１ａから飛び出してしまうリスクが高くなる。
【００５３】
しかしながらカード処理装置１００では、カードＣＡと直接接触することなくカード返却動作を行うことができるので、カードＣＡの短手方向を挿入方向および返却方向としてカード返却動作を行っても当該カードＣＡがカード挿入口兼返却口１ａから飛び出すことなく確実にカードＣＡの他方の端部をカード挿入口兼返却口１ａから露出したカード返却位置に排出することができる。
【００５４】
＜第２の実施の形態＞
第２の実施の形態においては、第１の実施の形態におけるカード処理装置１００と基本的な構成は同じであり、ダンパ５０が設けられていない代わりに、図１０に示すように、表面側ベース１ｆｍに第３付勢手段としての樹脂バネ６０が形成されたものであるため、この樹脂バネ６０の構成を中心に説明する。
【００５５】
図１０乃至図１３に示すように、表面側ベース１ｆｍのほぼ中央に平行に設けられた縦長のベース溝１ｃ、１ｃの間には、当該表面側ベース１ｆｍからスライダ５側へ向かってその先端部６０ａが僅かに突出するように折り曲げられた樹脂バネ６０が当該表面側ベース１ｆｍから切り欠かれた状態で一体に成形されている。
【００５６】
この樹脂バネ６０は、表面側ベース１ｆｍの約半分の厚さに形成されており、先端部６０ａと一体に図中矢印Ｅ−Ｆ方向へ弾性変形可能である。樹脂ばね６０の先端部６０ａは、矢印Ｆ方向へ突出されており、スライダ５がカード挿入口兼返却口１ａに向かって上方へ移動されたとき、当該スライダにおける第３付勢手段当接部としての当接面５ｍと当接されると、樹脂バネ６０の先端部６０ａがスライダ５の当接面５ｍにより矢印Ｅ方向へ押し戻される。
【００５７】
この樹脂バネ６０およびスライダ５の当接面５ｍによって、ばね６、６によりスライダ５を介してカード挿入口兼返却口１ａへカードＣＡを移動させる際の付勢力の強弱を当該カードＣＡと非接触で制御する制動手段が構成される。
【００５８】
図１１に示すように、カード保持空間ＣＨＫに保持されたカードＣＡに対するカート読出書込時には、樹脂バネ６０の先端部６０ａとスライダ５の当接面５ｍとは互いに当接することのない非接触状態のままである。
【００５９】
その後、カードＣＡに対する返却命令が与えられると、ストッパ１０の爪１０ｂとスライダ５の係合孔５ａとの係合状態が解除されるので、スライダ５はバネ６、６の付勢力により勢い良くカード挿入口兼返却口１ａへ向かって押し上げられ、スライダ５のカード支承部５ｂに一方の端部が当接された状態のカードＣＡも当該スライダ５とともにカード挿入口兼返却口１ａへ向かって一緒に勢い良く押し上げられる。
【００６０】
図１２に示すように、ストッパ１０の爪１０ｂとスライダ５の係合孔５ａとの係合状態が解除されると、スライダ５のカード挿入口兼返却口１ａへの押し上げとともに、スライダ５と係合連結されたリンク４、４が上方へ押し上げられ、そのリンク４、４の押し上げと共にシャッタ３、３の一方の端部３ｄ、３ｄが当該リンク４、４のリンク溝４ａ、４ａに沿って摺動するので、回動軸３ａ、３ａを中心としてシャッタ３、３が図中時計回り方向へ回転されて当該シャッタ３、３の他方の端部３ｕ、３ｕがシャッタ閉塞位置からシャッタ開放位置へ位置付けられる。
【００６１】
そのとき同時に、バネ６、６により勢い良く押し上げられたスライダ５の当接面５ｍが表面側ベース１ｆｍの樹脂バネ６０の先端部６０ａと当接され、この当接されたときの位置をダンパ作動位置（ダンパ作動時）として、樹脂バネ６０の先端部６０ａがスライダ５の当接面５ｍにより次第に押し戻されるので、当該樹脂バネ６０の矢印Ｆ方向への付勢力に抗しつつスライダ５がカード挿入口兼返却口１ａへ向かって速度を低下しながら徐々に押し上げられる。
【００６２】
このダンパ作動位置とは、シャッタ３、３のシャッタ開放位置でもあり、当該シャッタ３、３の開放動作と同時に、バネ６、６によりスライダ５を介してカードＣＡをカード挿入口兼返却口１ａに向けて移動させる際の付勢の強弱が樹脂バネ６０によって制御され、カードＣＡの一方の端部がカード挿入口兼返却口１ａから僅かに露出した取出可能位置に位置付けられる。
【００６３】
すなわちスライダ５は、ダンパ作動位置において樹脂バネ６０の矢印Ｆ方向への付勢力により、バネ６、６の矢印Ａ方向への付勢力が徐々に弱められ、図１３に示すように、最終的に樹脂バネ６０の付勢力とバネ６、６の付勢力とがつり合ったカード返却位置で当該スライダ５によるカードＣＡのカード挿入口兼返却口１ａへ向かう押し上げが停止されるので、カードＣＡがカード挿入口兼返却口１ａから飛び出してしまう事態を未然に防止することができる。
【００６４】
これによりユーザは、カード挿入口兼返却口１ａからカードＣＡの一方の端部の全面がカード挿入口兼返却口１ａから露出したカード返却位置で、当該カードＣＡの他方の端部を指で掴みながら引き抜くことにより確実にカードＣＡの返却を受けることができる。
【００６５】
このようにバネ６、６によるスライダ５を介したカードＣＡの上方への付勢力が樹脂バネ６０によりカードＣａとは非接触で次第に弱められるので、従来のように制動部材の押圧部がカードＣＡの端面を側圧することによりカード返却動作を行う場合に比べて、当該カードＣＡと直接接触することなく取出可能位置からカード返却位置に向かって速度を落としながらカードＣＡを排出することができる。
【００６６】
かくして、カードＣＡの種類や状態（カードＣＡの摩擦係数や曲がり度合い）に拘わらず、カードＣＡがカード挿入口兼返却口１ａから飛び出してしまうことがなく、カードＣＡの他方の端部がカード挿入口兼返却口１ａから露出した状態のカード返却位置にカードＣＡを排出し、当該カードＣＡをユーザに返却することができる。
【００６７】
＜他の実施の形態＞
なお、上述した第１および第２の実施の形態においては、カードＣＡの短手方向を挿入方向および返却方向とした場合について述べたが、本発明はこれに限らず、カードＣＡの長手方向を挿入方向および返却方向としても良い。
【００６８】
また、上述した第１および第２の実施の形態においては、図２および図６に示したようにカードＣＡの他方の端部がカード挿入口兼返却口１ａから僅かに露出した状態を取出可能位置とするようにした場合について述べたが、本発明はこれに限らず、図２の２点鎖線で示すようにカードＣＡの他方の端部がカード挿入口兼返却口１ａの円弧状部分から他方の端部の一部だけが露出した状態を取出可能位置とするようにしても良い。
【００６９】
さらに、上述した第２の実施の形態においては、スライダ突起部５ｃが設けられたスライダ５を用いるようにした場合について述べたが、本発明はこれに限らず、スライダ突起部５ｃの形成されていない従来のスライダを用いるようにしても良い。
【符号の説明】
【００７０】
１…ベース、１ａ…カード挿入口兼返却口、２…カバー、３…シャッタ、４…リンク、５…スライダ（カード移動手段）、５ａ…係合孔、５ｂ…突出部、５ｃ…スライダ突起部（第２付勢手段当接部、制動手段）、５ｄ…突起、５ｅ…スライダ溝、５ｍ…当接面（第３付勢手段当接部、制動手段）、６…バネ（第１付勢手段）、９、…電磁ソレノイド、１０…ストッパ、１１…ピン、１２…リーダライタ、１９…シュータ（カード保持部）、２０…回動軸、５０…ダンパ（第２付勢手段、制動手段）、…樹脂ばね（第３付勢手段、制動手段）、１００…カード処理装置。
【図１】
2015035146.tif 000003
【図２】
2015035146.tif 000004
【図３】
2015035146.tif 000005
【図４】
2015035146.tif 000006
【図５】
2015035146.tif 000007
【図６】
2015035146.tif 000008
【図７】
2015035146.tif 000009
【図８】
2015035146.tif 000010
【図９】
2015035146.tif 000011
【図１０】
2015035146.tif 000012
【図１１】
2015035146.tif 000013
【図１２】
2015035146.tif 000014
【図１３】
2015035146.tif 000015